(57)【要約】【課題】軽量、コンパクトで耐久性に優れ、屏風本体を展開するだけで豪華な背景を構成することができる扇形屏風を提供すること。【解決手段】本発明の扇形屏風１は、短冊状に複数回、交互に折り畳んだ屏風本体３を扇形状に展開して使用され、屏風本体３の折り畳む前の形状は、対向する上辺２１と下辺２３が平行で、それぞれの中心点Ｏ、Ｐを通る中心線Ｌを基準にして左辺２５と右辺２７が左右対称な形状に形成されており、上記屏風本体３を折り畳み、扇形状に展開した後の屏風本体３は、最下部の折畳み片３１ａを支持する脚部支持枠７と、最上部の折畳み片３１ｂを接続した状態で支持する支持柱９と、脚部支持枠７と支持柱９を屏風本体３を介して一体に連結する連結コマ１１と、を備えた支持構造５によって支持されている。【選択図】  図２
2017086739.tif 000002
【特許請求の範囲】
【請求項１】
短冊状に複数回、交互に折り畳んだ屏風本体を扇形状に展開して使用する扇形屏風であって、
上記屏風本体の折り畳む前の形状は、対向する上辺と下辺が平行で、それぞれの中心点を通る中心線が上辺と下辺と直交する垂直方向に延び、上記上辺と下辺と交差する左辺と右辺が上記中心線を挟んで左右対称な形状に形成されており、
上記屏風本体を折り畳み、扇形状に展開した後の屏風本体は、最下部の折畳み片を支持する脚部支持枠と、最上部の折畳み片を接続した状態で支持する支持柱と、脚部支持枠と支持柱を屏風本体を介して一体に連結する連結コマと、を備えた支持構造によって支持されるように構成されていることを特徴とする扇形屏風。
【請求項２】
上記屏風本体の折畳み方向は、上記上辺と下辺と直交する上記中心線に沿う方向であり、
上記屏風本体の折畳み幅は一定で、
上記屏風本体の折畳み回数は所望の扇形状を形成するのに適した２の累乗の回数に設定されていることを特徴とする請求項１記載の扇形屏風。
【請求項３】
上記短冊状に折り畳まれた屏風本体は、その中心で谷折れ状態に折り曲げられ、
上記折り曲げられた屏風本体の左右の最上部の折畳み片は、上記支持柱に固定されることによって接続され、
上記折り畳まれた左右の屏風本体におけるそれぞれの最下部の折畳み片には、上記脚部支持枠が左右一対取り付けられていることを特徴とする請求項１または２記載の扇形屏風。
【請求項４】
上記連結コマは、上記一対設けられる脚部支持枠に挟まれるように、その中間の空隙部に配置される基板部と、
上記基板部の奥部側の上面から上方に向けて立ち上げられ、上下方向に貫通する支持柱受入れ孔が形成された支持台と、
上記支持台の所定の高さから前方に向けて舌片状に突出し、上記基板部との間にできる間隙に上記折り畳まれた状態の屏風本体の中心部を位置させて保持する押さえ片と、を備えていることを特徴とする請求項３記載の扇形屏風。
【請求項５】
上記屏風本体の折り畳む前の形状は、上辺と下辺の長さが等しい矩形状であることを特徴とする請求項１〜４のいずれかに記載の扇形屏風。
【請求項６】
上記屏風本体の折り畳む前の形状は、上辺の長さが下辺の長さよりも長い逆台形状であることを特徴とする請求項１〜４いずれかに記載の扇形屏風。
【請求項７】
上記屏風本体には折り畳む前の段階で、扇形状に展開した状態を想定した絵付けや図柄、模様、彩色が施されていることを特徴とする請求項１〜６のいずれかに記載の扇形屏風。
【請求項８】
上記屏風本体の材質は、和紙、洋紙、プラスチックフィルム、布若しくはこれらの一部またはこれらと他の材料とを組み合わせた合成シートであることを特徴とする請求項１〜７のいずれかに記載の扇形屏風。
【請求項９】
短冊状に複数回、交互に折り畳んだ屏風本体を扇形状に展開して使用する扇形屏風の組立て方法であって、
予め絵付けや図柄、模様、彩色が施された所定形状の屏風本体を所定の方向に所定回数、交互に折り畳む屏風本体折畳み工程と、
短冊状に折り畳んだ屏風本体を、その中心で谷折れ状態に折り曲げる屏風本体折曲げ工程と、
短冊状に折り畳んだ屏風本体の最下部の折畳み片に脚部支持枠を取り付ける脚部支持枠取付け工程と、
谷折れ状態に折り曲げられた屏風本体の中心部に連結コマを取り付ける連結コマ取付け工程と、
連結コマの支持柱受入れ孔に支持柱を挿し込んで取り付ける支持柱取付け工程と、
谷折れ状態に折り曲げられた屏風本体における左右最上部の折畳み片を支持柱に固定することによって接続する折畳み片接続工程と、を備えていることを特徴とする扇形屏風の組立て方法。
【発明の詳細な説明】
【技術分野】
【０００１】
本発明は、短冊状に複数回、交互に折り畳んだ屏風本体を扇形状に展開して使用する扇形屏風に関し、特に該扇形屏風の支持構造と、屏風本体の形状及びその展開構造に特徴を有する扇形屏風及び扇形屏風の組立て方法に係るものである。
【背景技術】
【０００２】
一般に屏風は、短冊状に複数回、交互に折り畳んだ屏風本体を幅方向に展開して使用する。また、下記の特許文献１〜３に示すように、短冊状に複数回、交互に折り畳んだり、短冊状の複数の扇要素の基端部をピンによって回動自在に接続し、これらの扇要素の先端側を扇形状に展開して使用する扇形屏風も存在している。
このうち、特許文献１では、短冊状に複数回、交互に折り畳んだ屏風本体の両端を側枠で支持し、両端の側枠のそれぞれの基端部を連結金具で接続している。また、リンク状の鉤止金具を使用して上記屏風本体を扇形状に展開した使用状態と、平面的に折り畳んだ収納状態と、を切り換えることができるように構成されている。また、特許文献１では、上記構成の扇形屏風を二組用意し、これらを蝶番で接続することによって使用時に全体として正面視半円形状となるように構成された扇形の屏風及び衝立が開示されている。
【０００３】
また、特許文献２では、短冊状に複数回、交互に折り畳んだ屏風本体の両端を側枠で支持し、両端の側枠のそれぞれの基端部をヒンジによって回動自在に接続して使用時に正面視半円形状となる扇形状の衝立が開示されている。
また、特許文献３では、短冊状の複数の扇要素の基端部をピンによって回動自在に接続し、使用時に扇要素の先端側を扇形状に展開してその両端に脚台を取り付けることで衝立として使用し得るようにした扇子様の衝立が開示されている。
【先行技術文献】
【特許文献】
【０００４】
【特許文献１】実公昭７−１１５３７号公報
【特許文献２】意匠登録第７７１１０９号公報
【特許文献３】実公昭３１−１６６７３号公報
【発明の概要】
【発明が解決しようとする課題】
【０００５】
しかし、特許文献１に開示されている屏風及び衝立は、構造が複雑で重量が重くなる。また、展開した形状は正面視半円形状の一種類のみであり、屏風本体自体の形状やその展開構造にも特段の工夫は見られない。
また、特許文献２に開示されている衝立は、屏風本体を支持している部材が屏風本体の両端部に取り付けられる側枠のみである。従って、屏風本体を展開した時、その頂部付近の剛性が弱くなって、自立姿勢を維持できず、湾曲して下方に傾いたり、垂れ下がったりする場合があった。また、展開した形状は特許文献１と同様、正面視半円形状の一種類のみであり、屏風本体自体の形状やその展開構造にも特段の工夫は見られない。
【０００６】
また、特許文献３に開示されている衝立は、所定厚さの多数の扇要素を組み立てて使用するものであるから、部品点数が多くなり、組み立てに手間がかかってしまう。また、展開した形状は正面視半円形状に幾分満たない扇形であり、扇子と同様、各扇要素の接続部が重ね合わされることによって段差が生じてしまい、折り畳んだ状態での全体の厚さも厚くなってしまう。
【０００７】
本発明はこのような点に基づいてなされたもので、その目的とするところは、収納時にはコンパクトに折り畳むことができ、使用時には単に屏風本体を展開するだけで大きく、豪華な背景を構成することが可能な、軽量で、折り畳み前と扇形状に展開した後とで形状と絵柄の変化に意外性を有し、耐久性にも優れた扇形屏風を提供することにある。
【課題を解決するための手段】
【０００８】
上記目的を達すべく本発明の請求項１による扇形屏風は、短冊状に複数回、交互に折り畳んだ屏風本体を扇形状に展開して使用する扇形屏風であって、上記屏風本体の折り畳む前の形状は、対向する上辺と下辺が平行で、それぞれの中心点を通る中心線が上辺と下辺と直交する垂直方向に延び、上記上辺と下辺と交差する左辺と右辺が上記中心線を挟んで左右対称な形状に形成されており、上記屏風本体を折り畳み、扇形状に展開した後の屏風本体は、最下部の折畳み片を支持する脚部支持枠と、最上部の折畳み片を接続した状態で支持する支持柱と、脚部支持枠と支持柱を屏風本体を介して一体に連結する連結コマと、を備えた支持構造によって支持されるように構成されていることを特徴とするものである。
【０００９】
また、請求項２による扇形屏風は、請求項１記載の扇形屏風において、上記屏風本体の折畳み方向は、上記上辺と下辺と直交する上記中心線に沿う方向であり、上記屏風本体の折畳み幅は一定で、上記屏風本体の折畳み回数は所望の扇形状を形成するのに適した２の累乗の回数に設定されていることを特徴とするものである。
【００１０】
また、請求項３による扇形屏風は、請求項１または２記載の扇形屏風において、上記短冊状に折り畳まれた屏風本体は、その中心で谷折れ状態に折り曲げられ、上記折り曲げられた屏風本体の左右の最上部の折畳み片は、上記支持柱に固定されることによって接続され、上記折り畳まれた左右の屏風本体におけるそれぞれの最下部の折畳み片には、上記脚部支持枠が左右一対取り付けられていることを特徴とするものである。
【００１１】
また、請求項４による扇形屏風は、請求項３記載の扇形屏風において、上記連結コマは、上記一対設けられる脚部支持枠に挟まれるように、その中間の空隙部に配置される基板部と、上記基板部の奥部側の上面から上方に向けて立ち上げられ、上下方向に貫通する支持柱受入れ孔が形成された支持台と、上記支持台の所定の高さから前方に向けて舌片状に突出し、上記基板部との間にできる間隙に上記折り畳まれた状態の屏風本体の中心部を位置させて保持する押さえ片と、を備えていることを特徴とするものである。
【００１２】
また、請求項５による扇形屏風は、請求項１〜４のいずれかに記載の扇形屏風において、記屏風本体の折り畳む前の形状は、上辺と下辺の長さが等しい矩形状であることを特徴とするものである。
【００１３】
また、請求項６による扇形屏風は、請求項１〜４のいずれかに記載の扇形屏風において、上記屏風本体の折り畳む前の形状は、上辺の長さが下辺の長さよりも長い逆台形状であることを特徴とするものである。
【００１４】
また、請求項７による扇形屏風は、請求項１〜６のいずれかに記載の扇形屏風において、
上記屏風本体には折り畳む前の段階で、扇形状に展開した状態を想定した絵付けや図柄、模様、彩色が施されていることを特徴とするものである。
【００１５】
また、請求項８による扇形屏風は、請求項１〜７のいずれかに記載の扇形屏風において、上上記屏風本体の材質は、和紙、洋紙、プラスチックフィルム、布若しくはこれらの一部またはこれらと他の材料とを組み合わせた合成シートであることを特徴とするものである。
【００１６】
また、本発明の請求項９による扇形屏風の組立て方法は、カバー付き清掃具は、短冊状に複数回、交互に折り畳んだ屏風本体を扇形状に展開して使用する扇形屏風の組立て方法であって、予め絵付けや図柄、模様、彩色が施された所定形状の屏風本体を所定の方向に所定回数、交互に折り畳む屏風本体折畳み工程と、短冊状に折り畳んだ屏風本体を、その中心で谷折れ状態に折り曲げる屏風本体折曲げ工程と、短冊状に折り畳んだ屏風本体の最下部の折畳み片に脚部支持枠を取り付ける脚部支持枠取付け工程と、谷折れ状態に折り曲げられた屏風本体の中心部に連結コマを取り付ける連結コマ取付け工程と、連結コマの支持柱受入れ孔に支持柱を挿し込んで取り付ける支持柱取付け工程と、谷折れ状態に折り曲げられた屏風本体における左右最上部の折畳み片を支持柱に固定することによって接続する折畳み片接続工程と、を備えていることを特徴とするものである。
【発明の効果】
【００１７】
そして、上記手段によって以下のような効果が得られる。即ち、本発明の扇形屏風によると、屏風本体の折り畳む前の形状が対向する上辺と下辺が平行で、それぞれの中心点を通る中心線を基準にして左辺と右辺が左右対称な形状に形成されているから、屏風本体を折り畳み、更にその中心で折り曲げて扇形状に展開した形状も左右対称になる。
また、上記扇形屏風の扇形状に展開された状態は、脚部支持枠と支持柱と連結コマとを備えたシンプルな構成の支持構造によって支持されるから、経年の使用等によって生ずる屏風本体の頂部付近の傾きや垂れ下がりを防止することができる。また、構成がシンプルな支持構造の採用によって屏風本体自体には必要以上の剛性は求められないから肉薄の屏風本体が使用できる。従って、扇形屏風全体の重量を軽量にし、扇形屏風をコンパクトな形態に折り畳むことが可能になる。
【００１８】
また、屏風本体の折畳み方向を、上辺と下辺のそれぞれの中心点を通る中心線に沿う方向とし、屏風本体の折畳み幅を一定にし、屏風本体の折畳み回数を所望の扇形状を形成するのに適した回数として２の累乗の回数に設定した場合には、屏風本体の折畳み作業が容易になり、扇形屏風の生産性が向上する。
また、上記短冊状に折り畳まれた屏風本体を、その中心で谷折れ状態に折り曲げ、折り曲げた屏風本体の左右の最上部の折畳み片を、支持柱に固定して接続し、折り曲げた屏風本体における最下部の折畳み片に対して脚部支持枠を左右一対取り付けた場合には、屏風本体の使用時における大きく、豪華な展開状態が長時間に亘って維持されるようになり、安定した扇形屏風の立設状態が保たれるようになる。
【００１９】
また、連結コマを脚部支持枠の空隙部に設けられる基板部と、支持柱受入れ孔が形成された支持台と、該支持台の中間の適宜の高さから前方に向けて舌片状に突出し、その下方に屏風本体の中心部を保持するための間隙を有する押さえ片と、を備えた構成にした場合には、扇形屏風を扇形状に展開した使用状態と短冊状に折り畳んだ収納状態とを開閉操作のみで自由に切り換えることができるコンパクトで簡易な構成の連結コマを提供できるようになる。
【００２０】
また、屏風本体の折り畳む前の形状を、上辺と下辺の長さが等しい矩形状に構成した場合には、短冊状に折り畳んだ屏風本体を、その中心で折り曲げた時、その中心から各折畳み片先端までの距離が、ほぼ等しくなる。従って、扇形状に展開した時の屏風本体の外形形状は半円形等の円弧形状となる。
また、屏風本体の折り畳む前の形状を、上辺の長さが下辺の長さよりも長い逆台形状に構成した場合には、短冊状に折り畳んだ屏風本体を、その中心で折り曲げた時、その中心から各折畳み片先端までの距離が最下部の折畳み片から最上部の折畳み片にかけて徐々に長くなる。従って、扇形状に展開した時の屏風本体の外形形状は、縦長の楕円弧形状や頂部が尖ったどんぐりないし木の葉様の形状となる。
【００２１】
また、折り畳む前の段階で屏風本体に対して扇形状に展開した状態を想定して絵付けや図柄、模様、彩色を施した場合には、折り畳む前の平面状態の屏風本体に対して絵付け等を施すことができるから、絵付け作業等を容易に行うことが可能になる。また、ここで行う絵付け等は、扇形状に展開した状態を想定しての絵付け等になるから、屏風本体を扇形状に展開した時の絵柄の変化の意外性を楽しむことができる。
また、屏風本体の材質を、和紙、洋紙、プラスチックフィルム、布若しくはこれらの一部またはこれらと他の材料とを組み合わせた合成シートとした場合には、目的に応じて性状や外観が異なる屏風本体を使い分けて趣の異なる扇形屏風を提供することが可能になる。
【００２２】
また、本発明の扇形屏風の組立て方法によると、屏風本体を支持構造に取り付ける前の組立て準備工程として屏風本体折畳み工程と屏風本体折曲げ工程を実施し、当該準備が整った屏風本体と支持構造とを使用して組立て本工程として脚部支持枠取付け工程と、連結コマ取付け工程と、支持柱取付け工程と、折畳み片接続工程と、を実施する。
従って、予め屏風本体に対して行う組立て準備工程が行われていれば、当該屏風本体と支持構造とを使用して行う組立て本工程に円滑に移行することができる。そして、このようにして組み立てられた扇形屏風は、屏風本体頂部の傾きや垂れ下がりの心配がなく、長期に亘って扇形状の展開状態を維持することができる。また、収納時には屏風本体の中心で二つ折りすることでコンパクトに折り畳むことが可能である。
【図面の簡単な説明】
【００２３】
【図１】本発明の第１の実施の形態を示す図で、扇形屏風の使用形態の一例を示す正面図である。
【図２】本発明の第１の実施の形態を示す図で、扇形屏風を扇形状に展開した状態を示す斜視図である。
【図３】本発明の第１の実施の形態を示す図で、扇形屏風を扇形状に展開した状態を示す正面図である。
【図４】本発明の第１の実施の形態を示す図で、扇形屏風を扇形状に展開した状態を示す背面図である。
【図５】本発明の第１の実施の形態を示す図で、扇形屏風を扇形状に展開した状態を示す右側面図である。
【図６】本発明の第１の実施の形態を示す図で、扇形屏風を扇形状に展開した状態を示す左側面図である。
【図７】本発明の第１の実施の形態を示す図で、扇形屏風を扇形状に展開した状態を示す平面図である。
【図８】本発明の第１の実施の形態を示す図で、扇形屏風を扇形状に展開した状態を示す底面図である。
【図９】本発明の第１の実施の形態を示す図で、扇形屏風の収納状態を示す正面図である。
【図１０】本発明の第１の実施の形態を示す図で、屏風本体の折り畳む前の状態を示す正面図である。
【図１１】本発明の第１の実施の形態を示す図で、屏風本体を扇形状に展開した状態を示す正面図ある。
【図１２】本発明の第１の実施の形態を示す図で、支持構造の使用状態を示す正面図である。
【図１３】本発明の第１の実施の形態を示す図で、支持構造の使用状態を示す背面図である。
【図１４】本発明の第１の実施の形態を示す図で、支持構造の使用状態を示す右側面図である。
【図１５】本発明の第１の実施の形態を示す図で、支持構造の使用状態を示す左側面図である。
【図１６】本発明の第１の実施の形態を示す図で、支持構造の使用状態を示す平面図である。
【図１７】本発明の第１の実施の形態を示す図で、支持構造の使用状態を示す底面図である。
【図１８】本発明の第１の実施の形態を示す図で、連結コマを示す斜視図である。
【図１９】本発明の第１の実施の形態を示す図で、屏風本体に施す絵柄の一例を示す屏風本体を折り畳む前の状態（ａ）と折り畳んだ後、扇形状に展開した状態（ｂ）を示す正面図である。
【図２０】本発明の第１の実施の形態を示す図で、屏風本体に施す絵柄の他の一例を示す屏風本体を折り畳む前の状態（ａ）と折り畳んだ後、扇形状に展開した状態（ｂ）を示す正面図である。
【図２１】本発明の第２の実施の形態を示す図で、折り畳む前の状態を示す正面図である。
【図２２】本発明の第２の実施の形態を示す図で、屏風本体を扇形状に展開した状態の屏風本体を示す正面図である。
【図２３】本発明の第３の実施の形態を示す図で、折り畳む前の状態の屏風本体を示す正面図である。
【図２４】本発明の第３の実施の形態を示す図で、屏風本体を扇形状に展開した状態の扇形屏風を示す正面図である。
【図２５】本発明の第４の実施の形態を示す図で、折り畳む前の状態の屏風本体を示す正面図である。
【図２６】本発明の第４の実施の形態を示す図で、屏風本体を扇形状に展開した状態の扇形屏風を示す正面図である。
【図２７】本発明の第５の実施の形態を示す図で、扇形屏風の組立て方法を示すブロック図である。
【発明を実施するための形態】
【００２４】
以下、図１〜図２０に示す第１の実施の形態と、図２１及び図２２に示す第２の実施の形態と、図２３及び図２４に示す第３の実施の形態と、図２５及び図２６に示す第４の実施の形態と、図２７に示す第５の実施の形態と、を例にとって、本発明の扇形屏風の構成及び作用と、本発明の扇形屏風の組立て方法の内容と、について詳細に説明する。
尚、以下の説明では、図１〜図２０に示す第１の実施の形態を例にとって、本発明の扇形屏風１の具体的構成とその作用について詳細に説明し、図２１及び図２２に示す第２の実施の形態と、図２３及び図２４に示す第３の実施の形態と、図２５及び図２６に示す第４の実施の形態については、上記第１の実施の形態との差異に絞って説明する。また、図２７に示す第５の実施の形態については、上記図１〜図２０に示す第１の実施の形態の屏風本体を組み立てる場合を例にとって扇形屏風の組立て方法の内容を説明する。
【００２５】
（１）第１の実施の形態（図１〜図２０参照）
本発明の扇形屏風１は、短冊状に複数回、交互に折り畳んだ屏風本体３を扇形状に展開して使用する。
具体的には、絵付けＡ等が施された屏風本体３と、この屏風本体３を支持する支持構造５と、を備えることによって扇形屏風１は構成されている。
そして、屏風本体３の折り畳む前の形状は、対向する上辺２１と下辺２３が平行で、それぞれの中心点Ｏ、Ｐを通る中心線Ｌが上辺２１と下辺２３と直交する垂直方向Ｚに延び、上辺２１と下辺２３と交差する左辺２５と右辺２７が上記中心線Ｌを挟んで左右対称な形状に形成されている。
【００２６】
また、本実施の形態では、図１０に示すように、屏風本体３Ａは折り畳む前の形状が上辺２１の長さが下辺２３よりも長い逆台形状に構成されている。因みに、このような形状の屏風本体３Ａを使用した場合には、短冊状に折り畳んだ屏風本体３Ａを、図１１に示すように扇形状に展開した時、屏風本体３Ａの外形形状は縦長の楕円弧形状や頂部２９が尖ったどんぐりないし木の葉様の形状となる。
そして、このように扇形状に展開された屏風本体３Ａは、支持構造５の一対の脚部支持枠７Ｌ、７Ｒによって最下部の折畳み片３１ａが支持され、支持構造５の支持柱９によって二つに折り曲げられた最上部の折畳み片３１ｂが拝み合わせられるように接続された状態で支持される。また、上記一対の脚部支持枠７Ｌ、７Ｒと支持柱９は、屏風本体３を介して支持構造５の連結コマ１１によって一体に連結される。
【００２７】
また、本実施の形態では屏風本体３Ａの折畳み方向は、上辺２１と下辺２３と直交する中心線Ｌに沿う垂直方向Ｚに設定されており、上記屏風本体３Ａの折畳み幅Ｗは一定で、屏風本体３Ａの折畳み回数は、所望の扇形状を形成するのに適した回数で、好ましくは折り畳みが容易な２の累乗となる回数に設定される。因みに、図１０では、２の４乗となる１６回に折畳み回数が設定されている。
尚、屏風本体３Ａの折畳み回数を１６回とした時、図１１に示すように最下部の折畳み辺３１と設置面Ｓとの間に傾斜角θの隙間が存在している場合には、その傾斜角θを埋めるために、図１１中、仮想線で示すように例えば折畳み回数を２回増やして１８回にして追加した最下部の折畳み片３１ｃが設置面Ｓと平行になるように調整することが可能である。
【００２８】
また、短冊状に折り畳まれた屏風本体３Ａは、その中心で谷折れ状態に折り曲げられて二つ折りされる。そして、折り曲げられた屏風本体３Ａの左右の最上部の折畳み片３１ｂは、後述する連結コマ１１の支持台１７の上面から立ち上げられる一例として丸棒状の支持柱９に対して糊付けされることによって固定され、これにより左右の最上部の折畳み片３１ｂは接続される。
また、短冊状に折り畳まれた左右の屏風本体３Ａにおけるそれぞれの最下部の折畳み片３１ａには、幅方向Ｘに長い一例として矩形平板状の脚部支持枠７が取り付けられ、左右の脚部支持枠７Ｌ、７Ｒの中間には、後述する連結コマ１１の基板部１３を収容するための空隙部８が形成されている。
【００２９】
また、連結コマ１１は、上述した空隙部８に嵌まる矩形平板状の基板部１３と、該基板部１３の奥部Ｂ側の上面から上方に向けて立ち上げられ、上下方向Ｚに貫通する支持柱受入れ孔１５が形成された背面視Ｔ字形の支持台１７と、該支持台１７の所定の高さから前方Ｆに向けて突出する舌片状をした押さえ片１９と、を備えることによって構成されている。
また、上記押さえ片１９と基板部１３との間に間隙１４が形成されており、該間隙１４に折り畳まれた状態の屏風本体３Ａの中心部３３を位置させて、押さえ片１９と基板部１３との挟持作用によって上記屏風本体３Ａを保持し得るように構成されている。
【００３０】
そして、このようにして構成される支持構造５の構成部材である左右一対の脚部支持枠７Ｌ、７Ｒと、支持柱９と、連結コア１１は、扇形状に展開された屏風本体３を支持するのに必要な剛性と重量を有する材料である木材、プラスチック、金属等によって構成されている。
一方、屏風本体３の材質としては、和紙、洋紙、プラスチックフィルム、布もしくはこれらの一部またはこれらと他の材料（例えば砂、貝殻、金箔等）とを組み合わせた合成シート等が使用できる。尚、図１では人形Ｄ等の背景として本発明の扇形屏風１を使用しているから、人形Ｄ等との相性が良く、折り目がくっきりと現れ、見映えの良い和紙が屏風本体３の好適な材質として使用できる。
【００３１】
また、このようにして構成される本発明の扇形屏風１は、屏風本体３と支持構造５とを組み立てた状態で図９に示すように支持柱９を中心にして左右の脚部支持枠７Ｌ、７Ｒを折り畳むことができるように構成されており、左右の脚部支持枠７Ｌ、７Ｒの開閉操作のみでコンパクトな収納状態と使用時の展開状態との切り換えを行うことができるようになっている。
また、屏風本体３Ａには折り畳む前の段階で、扇形状に展開した状態を想定した絵付けＡや図柄、模様、彩色等が施されている。例えば、図１９では屏風本体３Ａを折り畳む前の段階で図１９（ａ）に示すように屏風本体３Ａの全体に空をイメージさせる彩色を施し、屏風本体３Ａの中心線Ｌから左側の下半分に上下方向Ｚに流れるように雲を描いている。更に、屏風本体３Ａの左辺２５と上辺２１及び右辺２７と上辺２１を横切るように上下方向Ｚに延びる虹が直線的に描かれている。
【００３２】
因みに、このような絵付けＡが施された屏風本体３Ａを折り畳んで扇形状に展開した状態では、図１９（ｂ）に示すように、上記直線的な虹がアーチ状の虹になり、上下方向Ｚに流れていた雲が円周方向に流れるように現れて絵柄の変化に意外性が生ずる。
また、図２０では、屏風本体３Ａを折り畳む前の段階で図２０（ａ）に示すように、屏風本体３Ａの下部の全範囲と屏風本体３Ａの上部中央の三角形状ないし台形状をした範囲に富士山の中腹から裾野に広がる森林が描かれている。
【００３３】
また、屏風本体３Ａの上部中央の上記三角形状ないし台形状をした範囲の左右それぞれの外方には、富士山の中腹から山頂にかけての稜線が垂直方向Ｚの上方に向けて直線的に描かれた後、左右外方に向けて徐々に湾曲し山頂に至る曲線が描かれている。更に、上記富士山を描いた範囲の左右それぞれの外方の残りの範囲には下部外方から上部内方へ向けて傾斜して流れる雲を有する空が描かれている。
そして、このような絵付けＡが施された屏風本体３Ａを折り畳んで扇形状に展開した状態では、図２０（ｂ）に示すように、中央上部に山頂を有し、左右外方に向けて緩やかに傾斜して中腹に至る富士山の稜線が出現し、富士山の中腹から裾野には森林が広がり、富士山の背景には雲が円周方向に流れている空が現れるようになる。
【００３４】
次に、このようにして構成される本実施の形態による扇形屏風１Ａの作用を（Ａ）使用時と（Ｂ）収納時に分けて説明する。
（Ａ）使用時（図１〜図３参照）
扇形屏風１Ａの使用時には、図示のように屏風本体３Ａが扇形状に展開して、扇形屏風１Ａの手前に配置される人形Ｄ等を引き立てる背景として、その大きさと豪華さを演出する。また、屏風本体３Ａの上記展開状態は、支持構造５によって支持されているから経年の使用等によっても屏風本体３Ａの頂部付近の傾きや垂れ下がりは生じない。
【００３５】
（Ｂ）収納時（図９参照）
扇形屏風１Ａを使用しない場合には、支持柱９を中心にして左右の脚部支持枠７Ｌ、７Ｒを支持柱９側へ折り畳み、左右の脚部支持枠７Ｌ、７Ｒが平行になる図示のような拍子木様の状態にする。この状態では、扇形状に展開されていた屏風本体３Ａが平坦に折り畳まれて極めてコンパクトな形態となって収納が容易になる。また、支持構造５の構成がシンプルであり、屏風本体３Ａ自体の重量も極めて軽量であるから、扇形屏風１Ａ全体の重量も軽量になって持ち運びが良好になる。
【００３６】
（２）第２の実施の形態（図２１及び図２２参照）
本実施の形態による扇形屏風１Ｂは、屏風本体３Ｂの形状が上記第１の実施の形態の扇形屏風１Ａの屏風本体３Ａと相違しており、支持構造５の構成は第１の実施の形態と同様の構成を有している。
従って、ここでは上記第１の実施の形態と同様の支持構造５の構成については説明を省略し、上記第１の実施の形態と相違する屏風本体３Ｂの構成とその作用に絞って説明する。
【００３７】
即ち、本実施の形態では、図２１に示すように折り畳む前の屏風本体３Ｂの形状が、上辺２１と下辺２３の長さが等しい矩形状に形成されている。これに伴い、左辺２５と右辺２７は平行で同じ長さの垂直方向Ｚに延びる直線として現れる。
そして、このようにして構成される屏風本体３Ｂを短冊状に折り畳み、その中心で谷折れ状態に折り曲げると、その中心から各折畳み片３１の先端までの距離が、ほぼ等しくなる。従って、屏風本体３Ｂを扇形状に展開した時の屏風本体３Ｂの外形形状は図２２に示すような半円形状等の円弧形状となる。
【００３８】
このような構成の本実施の形態による扇形屏風１Ｂによっても上述した第１の実施の形態と同様の作用、効果を享受でき、更に本実施の形態の場合には、上記第１の実施の形態と趣の異なる外形形状が円弧形状の扇形屏風１Ｂが提供できるようになる。
【００３９】
（２）第３の実施の形態（図２３及び図２４参照）
本実施の形態による扇形屏風１Ｃは、屏風本体３Ｃの形状が上記第１の実施の形態の扇形屏風１Ａの屏風本体３Ａと相違しており、支持構造５の構成は第１の実施の形態と同様の構成を有している。
従って、ここでは上記第１の実施の形態と同様の支持構造５の構成については説明を省略し、上記第１の実施の形態と相違する屏風本体３Ｃの構成とその作用に絞って説明する。
【００４０】
即ち、本実施の形態では、図２３に示すように折り畳む前の屏風本体３Ｃの形状が、上辺２１の長さが下辺２３の長さよりも長く、上辺２１の左端と下辺２３の左端とを接続する左辺２５と、上辺２１の右端と下辺２３の右端とを接続する右辺２７と、が途中に屈曲点３５を有する屈曲線によって構成されている。
そして、このようにして構成される屏風本体３Ｃを短冊状に折り畳み、その中心で谷折れ状態に折り曲げると、図２４に示すように屈曲点３５を挟んで曲率が異なる複数の円弧が組み合わさった外形形状の屏風本体３Ｃが得られる。
【００４１】
このような構成の本実施の形態による扇形屏風１Ｃによっても上述した第１の実施の形態と同様の作用、効果を享受でき、更に本実施の形態の場合には、上記第１の実施の形態と趣を異にする複合円弧形状の外形を有する扇形屏風１Ｃが提供できるようになる。
【００４２】
（４）第４の実施の形態（図２５及び図２６参照）
本実施の形態による扇形屏風１Ｄは、屏風本体３Ｄの形状が上記第１の実施の形態の扇形屏風１Ａの屏風本体３Ａと相違しており、支持構造５の構成は第１の実施の形態と同様の構成を有している。
従って、ここでは上記第１の実施の形態と同様の支持構造５の構成については説明を省略し、上記第１の実施の形態と相違する屏風本体３Ｄの構成とその作用に絞って説明する。
【００４３】
即ち、本実施の形態では、図２５に示すように折り畳む前の屏風本体３Ｄの形状が、上辺２１の長さが下辺２３の長さよりも長く、上辺２１の左端と下辺２３の左端とを接続する左辺２５と、上辺２１の右端と下辺２３の右端とを接続する右辺２７と、が変移点３７で湾曲方向と曲率が変わる湾曲線によって構成されている。
そして、このようにして構成される屏風本体３Ｄを短冊状に折り畳み、その中心で谷折れ状態に折り曲げると、図２６に示すように変移点３７を挟んで湾曲方向と曲率が変化する曲線によって外形形状（図示の実施の形態では一例として富士山形）が構成される屏風本体３Ｄが得られるようになる。
【００４４】
このような構成の本実施の形態による扇形屏風１Ｄによっても上述した第１の実施の形態と同様の作用、効果を享受でき、更に本実施の形態の場合には、上記第１の実施の形態と趣を異にする曲線形状の変化に富んだ外形を有する扇形屏風１Ｄが提供できるようになる。
【００４５】
（５）第５の実施の形態（図２７及び図３、４、１０、１１参照）
本実施の形態による扇形屏風の組立方法は、短冊状に複数回、交互に折り畳んだ屏風本体３を扇形状に展開して使用する扇形屏風の組立て方法であって、組立て準備工程として屏風本体折畳み工程Ｐ１と屏風本折曲げ工程Ｐ２と、を有し、組立て本工程として脚部支持枠取付け工程Ｐ３と、連結コマ取付け工程Ｐ４と、支持柱取付け工程Ｐ５と、折畳み片接続工程Ｐ６と、を備えることによって基本的に構成される。
以下、これらの工程の内容を扇形屏風１の組立て手順に従って具体的に説明する。
【００４６】
（Ａ）屏風本体折畳み工程（図２７及び図１０参照）
屏風本体折畳み工程Ｐ１は、予め絵付けＡや図柄、模様、彩色等が施された所定形状の屏風本体３を所定の方向に、所定回数、交互に折り畳む工程である。
そして、本実施の形態では、図１０に示す外形形状が逆台形状の屏風本体３Ａを使用し、垂直方向Ｚに１６回、短冊状に交互に折り畳んだ拍子木様の屏風本体３を形成する。
【００４７】
（Ｂ）屏風本体折曲げ工程（図２７及び図１１参照）
屏風本体折曲げ工程Ｐ２は、短冊状に折り畳んだ屏風本体３を、その中心で谷折れ状態に折り曲げる工程である。
そして、本実施の形態では、上記屏風本体折畳み工程Ｐ１で得られた屏風本体３を使用し、最上部の折畳み片３１ｂを上にした状態で当該屏風本体３の中心で谷折れ状態に折り曲げて二つ折りにした状態にする。
【００４８】
（Ｃ）脚部支持枠取付け工程（図２７及び図３参照）
脚部支持枠取付け工程Ｐ３は、短冊状に折り畳んだ屏風本体３の最下部の折畳み片３１ａに脚部支持枠７を取り付ける工程である。
即ち、最下部の折畳み片３１ａを中心で左右に二つ折りし左側の折畳み片３１ａに対して左側の脚部支持枠７Ｌ、右側の折畳み片３１ａに対して右側の脚部支持枠７Ｒをそれぞれ取り付ける。また、左側の脚部支持枠７Ｌと右側の脚部支持枠７Ｒとの間には、連結コマ１１の基板部１３を収容するための空隙部８を形成しておく。
【００４９】
（Ｄ）連結コマ取付け工程（図２７及び図４参照）
連結コマ取付け工程Ｐ４は、谷折れ状態に折り曲げられた屏風本体３の中心部３３に連結コマ１１を取り付ける工程である。
即ち、連結コマ１１の押さえ片１９と基板部１３との間の間隙１４に対して、上記折り畳まれた状態の屏風本体３の中心部３３を位置させて連結コマ１１を屏風本体３の奥部Ｂ側から前方Ｆに挿し込むようにして連結コマ１１を取り付ける。
【００５０】
（Ｅ）支持柱取付け工程（図２７及び図４参照）
支持柱取付け工程Ｐ５は、連結コマ１１の支持柱受入れ孔１５に支持柱９を挿し込んで取り付ける工程である。
即ち、連結コマ１１の支持台１７の上面に開口している支持柱受入れ孔１５に対して例えば上方から支持柱９を挿し込むことによって支持柱９を連結コマ１１に対して立設状態で立ち上がるように取り付ける。
【００５１】
（Ｆ）折畳み片接続工程（図２７及び図４参照）
折畳み片接続工程Ｐ６は、谷折れ状態に折り曲げられた屏風本体３の左右の最上部の折畳み片３１ｂを支持柱９に固定することによって接続する工程である。
即ち、上記折り曲げられた左右の最上部の折畳み片３１ｂの先端部をそれぞれ上方に持ち上げて行き、図１１に示すように扇形状に展開した状態にする。次に、左右の最上部の折畳み片３１ｂを支持台１７から上方に向けて立ち上げられている支持柱９の周面に添わせて糊付けし、固定する。これにより左右外方の下部から中央上部にかけて扇形状に展開された屏風本体３は、支持柱９との固定部を介して接続され、一体化される。
【００５２】
そして、このようにして構成される本実施の形態による扇形屏風の組立て方法によれば、予め屏風本体３に対して行う組立て準備工程が行われていれば、当該屏風本体３と支持構造５とを使用して行う組立て本工程への円滑な移行が可能になる。
このようにして組み立てられた扇形屏風１は、屏風本体３頂部の傾きや垂れ下がりの心配がなく、長期に亘って扇形状の展開状態を維持することが可能である。
また、扇形屏風１の収納時には、屏風本体３の中心で二つ折りすることでコンパクトに折り畳むことができ、扇形屏風１の使用持には屏風本体３を展開するだけで豪華な展開状態に移行することが可能になっている。
【００５３】
（６）他の実施の形態
本発明の扇形屏風１及び扇形屏風の組立て方法は、上述した第１〜第５の実施の形態のものに限定されず、その発明の要旨内での変更が可能である。
例えば、屏風本体３の折り畳む前の形状は、上述した形状に限らず、左辺２５と右辺２７が中心線Ｌを挟んで左右対称になる種々の形状が採用可能である。従って、折り畳む前の形状が例えば半円形、多角形、上辺２１よりも下辺２３の長さが長い台形状の屏風本体３等を採用することも可能である。
【００５４】
また、屏風本体３の折畳み回数は、屏風本体３の大きさや形状の違いによって適宜、変更することが可能である。従って、２の累乗の回数である２、４、８、１６、３２、・・・に限らず、１８回、２０回等の折畳み回数を採用することが可能である。
また、屏風本体３を扇形状に展開した時の屏風本体３の形状も、上述した形状に限定されることなく、卵形、猫などの動物の輪郭をイメージさせる図形等、種々の形状を採用することが可能である。
また、本発明の扇形屏風１は、五月人形や雛人形の背景として使用したり、展示する果物や菓子、文具、化粧品等の種々の物品等を引き立てるディスプレイとして使用するほか、より大型のものとして展示会場や宴会等に展示物としてそのまま使用したり、あるいは他のオブジェ等と組み合わせて使用することも可能である。
【産業上の利用可能性】
【００５５】
本発明の扇形屏風及び扇形屏風の組立て方法は、人形の背景に使用される小道具等の製造、使用分野等で利用でき、特に使用時には豪華で、収納時には軽量、コンパクトになって持ち運びが容易な耐久性に優れる扇形屏風を提供したい場合に利用可能性を有する。
【符号の説明】
【００５６】
１  扇形屏風
３  屏風本体
５  支持構造
７  脚部支持枠
８  空隙部
９  支持柱
１１  連結コマ
１３  基板部
１４  間隙
１５  支持柱受入れ孔
１７  支持台
１９  押さえ片
２１  上辺
２３  下辺
２５  左辺
２７  右辺
２９  頂部
３１  折畳み片
３３  中心部
３５  屈曲点
３７  変移点
Ａ  絵付け
Ｏ  （上辺の）中心点
Ｐ  （下辺の）中心点
Ｌ  中心線
Ｚ  垂直方向（上下方向）
Ｗ  折畳み幅
Ｓ  設置面
θ  傾斜角
Ｘ  幅方向
Ｂ  奥部
Ｆ  前方
Ｄ  人形
Ｐ１  屏風本体折畳み工程
Ｐ２  屏風本体折曲げ工程
Ｐ３  脚部支持枠取付け工程
Ｐ４  連結コマ取付け工程
Ｐ５  支持柱取付け工程
Ｐ６  折畳み片接続工程
【図１】
2017086739.tif 000003
【図２】
2017086739.tif 000004
【図３】
2017086739.tif 000005
【図４】
2017086739.tif 000006
【図５】
2017086739.tif 000007
【図６】
2017086739.tif 000008
【図７】
2017086739.tif 000009
【図８】
2017086739.tif 000010
【図９】
2017086739.tif 000011
【図１０】
2017086739.tif 000012
【図１１】
2017086739.tif 000013
【図１２】
2017086739.tif 000014
【図１３】
2017086739.tif 000015
【図１４】
2017086739.tif 000016
【図１５】
2017086739.tif 000017
【図１６】
2017086739.tif 000018
【図１７】
2017086739.tif 000019
【図１８】
2017086739.tif 000020
【図１９】
2017086739.tif 000021
【図２０】
2017086739.tif 000022
【図２１】
2017086739.tif 000023
【図２２】
2017086739.tif 000024
【図２３】
2017086739.tif 000025
【図２４】
2017086739.tif 000026
【図２５】
2017086739.tif 000027
【図２６】
2017086739.tif 000028
【図２７】
2017086739.tif 000029